(57)【要約】【課題】上蓋を開閉したときにタンク内部に雨水が浸入し難い貯留タンクを提供すること。【解決手段】上部に開口部を有し、該開口部を開閉可能な蓋６０ａを開いたときに、貯留タンク６０の上方に位置させることができるひさし部６０ａ１を蓋６０ａから出入可能に設けた粉体、粒体及び流体を含む内容物を貯留するための貯留タンク６０である。該貯留タンク６０は施肥装置や薬剤散布装置等の粉粒体繰出し装置等に用いられる。【選択図】図９
2006115779.tif 000002
【特許請求の範囲】
【請求項１】
上部に開口部を有し、該開口部を開閉可能な蓋６０ａを備えた粉体、粒体及び流体を含む内容物を貯留するための貯留タンク６０において、
蓋６０ａを開いたときに、貯留タンク６０の上方に位置させることができるひさし部６０ａ１を蓋６０ａから出入可能に設けたことを特徴とする貯留タンク。
【発明の詳細な説明】
【技術分野】
【０００１】
本発明は、施肥装置や薬剤散布装置等の粉粒体繰出し装置等に用いられる粉粒体などを貯留する貯留タンクに関する。
【背景技術】
【０００２】
粉粒体貯留タンクは、その上面を開閉する蓋を備え、該蓋をあけてタンク内部に肥料や薬剤などの粉粒体を収納し、必要なときに外部に取り出して使用する。たとえば、粉粒体貯留タンク内の粉粒体をその下側に設けた繰出部によって繰り出し、繰り出された粉粒体をエアチャンバから供給されるエアによって圃場まで搬送するようにした粉粒体繰出し装置の一部として利用する。前記粉粒体繰出し装置は田植機に付属した施肥機として用いることがある。
【０００３】
前記施肥機は屋外で使用されることが多く、粉粒体貯留タンクの上蓋を屋外で開閉することも多くなる。
【０００４】
なお、本明細書では施肥装置や薬剤散布装置の前進方向を向いて左右方向をそれぞれ左、右と言い、前進方向を前、後退方向を後と言うことにする。
【特許文献１】特願２００４−８１０９９号公報
【発明の開示】
【発明が解決しようとする課題】
【０００５】
上記特許文献１に記載された粉粒体繰出し装置の粉粒体貯留タンクは、屋外で上蓋を開閉したときに、タンク内部に雨水が浸入し易いことがある。タンク内部に雨水が浸入すると、肥料や薬剤などの粉粒体が固化したり、変質することがある。
【０００６】
そこで、本発明の課題は、上蓋を開閉したときにタンク内部に雨水が浸入し難い貯留タンクを提供することである。
【課題を解決するための手段】
【０００７】
本発明の上記課題は、上部に開口部を有し、該開口部を開閉可能な蓋６０ａを備えた粉体、粒体及び流体を含む内容物を貯留するための貯留タンク６０において、蓋６０ａを開いたときに、貯留タンク６０の上方に位置させることができるひさし部６０ａ１を蓋６０ａから出入可能に設けた貯留タンク６０により解決される。  
なお、本発明の貯留タンク６０は肥料や薬剤などの粉体、粒体に限らず、固体、流体などの内容物を屋外で補充したり、入れ替えたりする場合に有用な貯留タンク６０として利用できる。
【０００８】
上記粉体と粒体は目安として直径が数センチメートル以下の不定形固形物であり、上記粉体は粒体より粒径が小さい固形物をいうこととし、流体とは液体又は固形物を含む液体をいうものとする。
【発明の効果】
【０００９】
本発明によれば、蓋６０ａを開けて貯留タンク６０内へ内容物を供給するとき、雨水が貯留タンク６０内に入るのをひさし部６０ａ１で防止できる。また、ひさし部６０ａ１を蓋６０ａから出入可能に設けたので、通常時は、ひさし部６０ａ１を蓋６０ａに収納する状態にしておけば、嵩張ることがない。
【発明を実施するための最良の形態】
【００１０】
以下、図面に基づき、本発明の好ましい実施の形態について説明する。  
図１及び図２は本発明の貯留タンク６０を用いた一実施例である施肥装置を装着した施肥装置付き乗用型田植機を表している。この施肥装置付き乗用型田植機１は、走行車体２の後側に昇降リンク装置３を介して苗植付部４が昇降可能に装着され、走行車体２の後部上側に施肥装置５の本体部分が設けられている。
【００１１】
走行車体２は、駆動輪である左右一対の前輪１０、１０及び左右一対の後輪１１、１１を備えた四輪駆動車両であって、機体の前部にミッションケース１２が配置され、そのミッションケース１２の左右側方に前輪ファイナルケース１３、１３が設けられ、該左右前輪ファイナルケース１３、１３の操向方向を変更可能な各々の前輪支持部から外向きに突出する左右前輪車軸に左右前輪１０、１０が各々取り付けられている。また、ミッションケース１２の背面部にメインフレーム１５の前端部が固着されており、そのメインフレーム１５の後端左右中央部に前後水平に設けた後輪ローリング軸を支点にして後輪ギヤケース１８、１８がローリング自在に支持され、その後輪ギヤケース１８、１８から外向きに突出する後輪車軸に後輪１１、１１が取り付けられている。
【００１２】
エンジン２０はメインフレーム１５の上に搭載されており、該エンジン２０の回転動力が、第一ベルト伝動装置２１及びＨＳＴ２３を介してミッションケース１２に伝達される。ミッションケース１２に伝達された回転動力は、該ケース１２内のトランスミッションにより変速された後、走行動力と外部取出動力に分離して取り出される。そして、走行動力は、一部が前輪ファイナルケース１３、１３に伝達されて前輪１０、１０を駆動すると共に、残りが後輪ギヤケース１８、１８に伝達されて後輪１１、１１を駆動する。また、外部取出動力は、走行車体２の後部に設けた植付クラッチケース２５に伝達され、それから植付伝動軸２６によって苗植付部４へ伝動されるとともに、施肥伝動機構２７によって施肥装置５へ伝動される。
【００１３】
エンジン２０の上部はエンジンカバー３０で覆われており、その上に座席３１が設置されている。座席３１の前方には各種操作機構を内蔵するフロントカバー３２があり、その上方に前輪１０、１０を操向操作するハンドル３４が設けられている。エンジンカバー３０及びフロントカバー３２の下端左右両側は水平状のフロアステップ３５になっている。フロアステップ３５は一部格子状になっており（図２参照）、該ステップ３５を歩く作業者の靴についた泥が圃場に落下するように成っている。フロアステップ３５上の後部は、後輪フェンダを兼ねるリヤステップ３６となっている。
【００１４】
また、走行車体２の前部左右両側には、補給用の苗を載せておく予備苗載台３８、３８が機体よりも側方に張り出す位置と内側に収納した位置とに回動可能に設けられている。
【００１５】
昇降リンク装置３は平行リンク構成であって、１本の上リンク４０と左右一対の下リンク４１、４１を備えている。これらリンク４０、４１、４１は、その基部側がメインフレーム１５の後端部に立設した背面視門形のリンクベースフレーム４２に回動自在に取り付けられ、その先端側に縦リンク４３が連結されている。そして、縦リンク４３の下端部に苗植付部４に回転自在に支承された連結軸４４が挿入連結され、連結軸４４を中心として苗植付部４がローリング自在に連結されている。メインフレーム１５に固着した支持部材と上リンク４０に一体形成したスイングアーム４５の先端部との間に昇降油圧シリンダ４６が設けられており、該シリンダを油圧で伸縮させることにより、上リンク４０が上下に回動し、苗植付部４がほぼ一定姿勢のまま昇降する。
【００１６】
苗植付部４は６条植の構成で、フレームを兼ねる伝動ケース５０、マット苗を載せて左右往復動し苗を一株分づつ各条の苗取出口５１ａ、…に供給するとともに横一列分の苗を全て苗取出口５１ａ、…に供給すると苗送りベルト５１ｂ、…により苗を下方に移送する苗載台５１、苗取出口５１ａ、…に供給された苗を苗植付具５２ａで圃場に植付ける苗植付装置５２、…、次行程における機体進路を表土面に線引きする左右一対の線引きマーカ５３、５３等を備えている。苗植付部４の下部には中央にセンターフロート５５、その左右両側にサイドフロート５６、５６がそれぞれ設けられている。これらフロート５５、５６、５６を圃場の泥面に接地させた状態で機体を進行させると、フロート５５、５６、５６が泥面を整地しつつ滑走し、その整地跡に苗植付装置５２、…により苗が植付けられる。各フロート５５、５６、５６は圃場表土面の凹凸に応じて前端側が上下動するように回動自在に取り付けられており、植付作業時にはセンターフロート５５の前部の上下動が上下動検出機構５７により検出され、その検出結果に応じ前記昇降油圧シリンダ４６を制御する油圧バルブを切り替えて苗植付部４を昇降させることにより、苗の植付深さを常に一定に維持する。
【００１７】
施肥装置５は、肥料貯留タンク６０に貯留されている粒状の肥料を繰出部６１、…によって一定量づつ繰り出し、その肥料を施肥ホース６２、…でフロート５５、５６、５６の左右両側に取り付けた施肥ガイド６３、…まで導き、施肥ガイド６３、…の前側に設けた作溝体６４、…によって苗植付条の側部近傍に形成される施肥構内に落とし込むようになっている。電動モータ６６で駆動のブロア６７で発生させたエアが、左右方向に長いエアチャンバ６８を経由して施肥ホース６２、…に吹き込まれ、施肥ホース６２、…内の肥料を風圧で強制的に搬送するようになっている。
【００１８】
以下、図３〜図８に示す施肥装置本体部の各部の構成について説明する。  
肥料貯留タンク６０は各条共用で、上部に開閉可能な蓋６０ａが取り付けられている。肥料貯留タンク６０の下部は施肥条数分に分岐して漏斗状になっており、その下部が繰出部６１、…の上端に接続されている。肥料貯留タンク６０は、左右方向に長い施肥フレーム７０に支持された左右２箇所の回動アーム７１に取り付けられていて、この回動アーム７１の下端部を支点に後方に回動させて繰出部６１、…から分離させられるようになっている。回動アーム７１は外側から１条目の繰出部と２条目の繰出部との間に配置されている（左右対称位置に２つ設けられている）。肥料貯留タンク６０の下部を肥料繰出部６１、…の上端に接続した通常位置では、係止具７２により肥料貯留タンク６０を固定しておく。
【００１９】
繰出部６１は、肥料貯留タンク６０内の肥料を下方に繰り出す２個の繰出ロール７３Ａ、７３Ｂを内蔵している。これらの繰出ロール７３Ａ、７３Ｂは、外周部に溝状の凹部７４、…が形成された回転体で、左右方向に設けた共通の繰出軸７５の角軸部７５ａ（図示例は四角軸）にそれぞれ一体回転するように嵌合している。繰出ロール７３Ａ、７３Ｂが図６の矢印方向に回転することにより、肥料貯留タンク６０から落下供給される肥料が凹部７４に収容されて下方に繰り出される。両繰出ロール７３Ａ、７３Ｂにより繰り出された肥料は、下端の吐出口６１ａから吐出される。
【００２０】
図示例の繰出ロール７３Ａ、７３Ｂの凹部の数は６個であり、両者の凹部の位相が異ならせてある。このため、両繰出ロール７３Ａ、７３Ｂの凹部が交互に肥料を繰り出すこととなり、吐出口６１ａから吐出される肥料の量が時間的に均等化されている。いずれかの繰出ロール７３Ａ又は７３Ｂを繰出軸７５から外して位相を適当に変更して付け直すことにより、両繰出ロール７３Ａ、７３Ｂの凹部の位相を等しくすることもできる。これで、圃場に点状に肥料を散布する場合に適用可能となる。
【００２１】
また、繰出部６１の内部には、凹部７４が下方に移動する側（前側）の繰出ロール７３の外周面に摺接するブラシ７６が着脱自在に設けられている。このブラシ７６によって繰出ロール７３Ａ、７３Ｂの凹部７４に肥料が摺り切り状態で収容され、繰出ロール７３Ａ、７３Ｂによる肥料繰出量が一定に保たれる。
【００２２】
さらに、ブラシ７６の上側には、繰出ロール７３Ａ、７３Ｂの上方に突出して肥料貯留タンク６０から繰出部６１に肥料が落下供給されないようにする繰出停止シャッタ７７Ａ、７７Ｂ（図７）が設けられている。繰出停止シャッタ７７Ａ、７７Ｂは、繰出部ケース７８のスライド支持部７９（図６）にスライド自在に支持されていて、ケース外の前端部に形成された把手７７ａをつかんでスライドさせるようになっている。
【００２３】
繰出部６１の吐出口６１ａには、前後方向に連通する接続管８０（図３）が接続されている。そして、この接続管８０の後端部に施肥ホース６２（図５）が接続されている。施肥ホース６２の外周螺旋溝に施肥フレーム７０の下端部が係合しているので、施肥ホース６２が接続管８０から抜けにくい。一方、各条の接続管８０の前端部はエアチャンバ６８（図４、図５）の背面部に挿入連結されている。エアチャンバ６８の左端部はエア切替管８１を介してブロア６７（図３、図４）に接続されており、該ブロア６７からのエアがエアチャンバ６８を経由し接続管８０から施肥ホース６２に吹き込まれるようになっている。なお、ブロア６７は、図３、図４に仮想線で示すように、そのエア吐出口６７ａをエア切替管８１から外して機体内方に回動収納できる構成としている。
【００２４】
エアチャンバ６８は、接続管８０が取り付けられたゴム管６８ａと、中間部分の樹脂管６８ｂとを交互に繋ぎ合わせて構成されている。この構成とすると、エアチャンバ６８を簡単に分解、組み立てできるので、繰出部６１を一体的に取り外してのメンテナンスが容易である。ゴム管６８ａの長さを一対の繰出部の間隔よりも長くしておくと、樹脂管６８ｂからゴム管６８ａを抜きやすい。
【００２５】
また、繰出部ケース７８の背面部には、肥料貯留タンク内の肥料を取り出すための肥料排出口８３（図６）が形成されている。この肥料排出口８３には、上端側を支点にして開閉自在な排出シャッタ８４が取り付けられている。各繰出部の肥料排出口８３は、繰出部６１の後方に設けた左右方向に長い肥料回収管８５に接続されている。肥料回収管８５の左端部は、前記エア切替管８１を介してブロア６７に接続されている。エア切替管８１は二股状の管であって、一方にエアチャンバ６８が接続され、他方に肥料回収管８５が接続されている。エア切替管８１にはエア切替部としてのエア切替シャッタ８６が設けられ、ブロア６７から吹き出されるエアをエアチャンバ６８側に供給する状態と肥料回収管８５側に供給する状態とに切り替えられようになっている。エア切替シャッタ８６はエアチャンバ６８と肥料回収管８５の間の前後中央部にあるので、両者へのエア供給が安定している。肥料回収管８５の右端部は肥料回収口８７になっている。
【００２６】
図８は上記各シャッタ８４、…、８６の開閉機構を示す図である。肥料回収口８７の近傍に肥料回収レバー９０が回動自在に設けられている。この肥料回収レバー９０の回動支点軸９０ａと同軸上に、繰出部６１の前側に配置された左右方向に長いシャッタ開閉伝達軸９１（図６）が設けられている。シャッタ開閉伝達軸９１には扇形プレート９２が取り付けられており、この扇形プレート９２に形成された円弧状の長穴９２ａに、肥料回収レバー９０に固着されたピン９０ｂが遊嵌している。シャッタ開閉伝達軸９１には各繰出部ごとに開閉ギヤ９３が取り付けられ、該ギヤ９３が排出シャッタ８４の回動軸８４ａに取り付けた半円形ギヤ９４と噛み合っている。なお、半円形ギヤ９４の端部には当該ギヤ９４の歯よりも径の大きいストッパ部９４ａが形成されているので、両ギヤ９３、９４の噛み合いが外れることはない。また、肥料回収レバー９０には、エア切替ワイヤ９５の一端が繋がれている。エア切替ワイヤ９５の他端は、エア切替シャッタ８６の回動軸８６ａに取り付けたアーム９６に付勢手段である引張りスプリング９７を介して繋がれている。
【００２７】
肥料回収レバー９０を回動操作すると、エア切替ワイヤ９５が引かれてエア切替シャッタ８６を切り替え、ブロア６７から引き出されるエアが肥料回収管８５に供給されるようになる。肥料回収レバー９０の回動操作量が少ないうちは、ピン９０ｂが長穴９２ａの中を移動するだけにすぎないので、シャッタ開閉伝達軸９１は回動しない。しかしながら、肥料回収レバー９０を一定量以上回動操作すると、ピン９０ｂが扇形プレート９２に係合し、シャッタ開閉伝達軸９１が回動する。これにより、排出シャッタ８４、…が開き、肥料貯留タンク６０内の肥料が肥料回収管８５に排出される。つまり、１本のレバー９０の操作だけでエア切替シャッタ８６及び排出シャッタ８４、…を操作することができる。しかも、必然的に、始めにエアが肥料回収管８５に供給され、その後で肥料が肥料回収管８５に排出されるのである。このため、肥料回収管８５での肥料の搬送が円滑に行われ、肥料回収管８５での肥料詰まりが生じない。また、肥料回収レバー９０が肥料回収口８７の近傍に設けられているので、肥料回収容器等を肥料回収口８７の下側に容易に確保でき、さらに肥料回収の状況を確認しながら作業を行え好都合である。
【００２８】
肥料回収レバー９０はレバーガイド９８に沿って回動操作するようになっている。このレバーガイド９８にはガイド穴９８ａ、９８ｂが形成されており、肥料回収レバー９０の撓みを利用して肥料回収レバー９０の係合部（図示せず）をガイド穴９８ａ、９８ｂに係合させることにより、肥料回収レバー９０をエア切替シャッタ８６だけが切り替えられる位置Ｐ１（図８）と、エア切替シャッタ８６及び排出シャッタ８４、…の両方が切り替えられる位置Ｐ２とに固定することができるようになっている。肥料回収レバー９０を上記以外の位置にも停止させられるようにし、排出シャッタ８４の開度を無段階又は段階的に調節できるようにしてもよい。
【００２９】
従って、肥料回収時にはブロア６７より気流搬送される肥料は肥料回収管８５を流れ、排出口８７からスムーズに肥料が排出される。
【００３０】
なお、エア切替シャッタ８６は上下方向を向く回動軸８６ａを中心に回動するので、エア切替シャッタ８６の開閉操作時の抵抗が変動しない。また、肥料回収時には引張りスプリング９７の張力に抗して強制的にエア切替シャッタ８６を切り替えるようにしているので、肥料回収時におけるエア切替シャッタ８６の気密性が良好である。
【００３１】
図４に示す開閉ギヤ９３と半円形ギヤ９４との噛み合いに予め融通性を持たせておくと、各条のギヤの組み付けに多少の誤差があっても、各条の排出シャッタ８４の動作タイミングに狂いが出ず、確実に排出シャッタ８４が閉じるようにすることができる。
【００３２】
一方、肥料回収レバー９０を図８に示す施肥作業位置にすると「ＯＮ」になるスイッチを設けると共に、各畦クラッチレバー１１０Ｌ、１１０Ｃ、１１０Ｒ（図４）をクラッチ入り位置にすると「ＯＮ」になるスイッチを各々設けて、これらスイッチの検出により、肥料回収レバー９０が肥料排出位置（肥料回収レバー９０が施肥作業位置でない時）で全ての畦クラッチレバー１１０Ｌ、１１０Ｃ、１１０Ｒがクラッチ入りの時（施肥作業時）に、肥料回収レバー９０が施肥作業位置でないことを警報するハンドル３４下方のモニター部に設けたランプを点灯するか若しくはブザーを鳴らすように制御装置で制御している。これは、肥料回収レバー９０を図８のＰ２位置にして肥料回収作業をした後、肥料回収レバー９０をＰ２位置にしたまま、メインスイッチを切って作業を中断し、後に（後日）、施肥・植付け作業を行なう時に肥料回収レバー９０をＰ２位置にしたまま施肥・植付け作業をすると施肥作業が行なえないまま植付け作業をしてしまう不具合を防止するためで、肥料回収レバー９０をＰ２位置にしたままでメインスイッチを入れるとランプが点灯するか若しくはブザーが鳴って作業者に肥料回収レバー９０が施肥作業位置になっていないことを知らせ、即座に作業者は肥料回収レバー９０を施肥作業位置に操作して前記のような不具合を未然に防止でき作業性が良い。
【００３３】
繰出部ケース７８は、側面視で前下がりに傾斜した分割面Ｆ−Ｆ（図５）で、下側の固定部分７８ａと上側の離脱部分７８ｂとに分割されている。繰出ロール７３Ａ、７３Ｂ及び排出シャッタ８４（肥料排出口８３）は固定部分７８ａに設けられている。一方、ブラシ７６及び繰出停止シャッタ７７は離脱部分７８ｂに設けられている。肥料貯留タンク６０が接続される上部開口部及び吐出口６１ａは分割されていないので、両者の気密性が良好に保たれる。
【００３４】
肥料貯留タンク６０を最も後方に回動させると、側面視で前記離脱部分７８ｂを離脱させる方向に投影した区域外に肥料貯留タンクが位置するようになっている。このため、離脱部分７８ｂを無理なく離脱させられる。また、分割面Ｆ−Ｆ（図５）の延長先はエアチャンバ６８の上端よりも下側に位置するとともに、側面視で離脱部分７８ｂを離脱させる方向に投影した区域外にエアチャンバ６８が位置している。このため、離脱部分７８ｂを取り外した状態で、走行車体２上から繰出ロール７３Ａ、７３Ｂのメンテナンスを行いやすい。
【００３５】
上記肥料貯留タンク６０の上部には開閉可能な蓋６０ａが取り付けられているが、図９に示すように蓋６０ａを開いたときに、タンク６０内に雨水がはいらないように、タンク６０の上方に位置させることができるひさし部６０ａ１を蓋６０ａから出入可能に設けた。
【００３６】
通常はひさし部６０ａ１を邪魔にならないように収納する。前記収納のためには、ひさし部６０ａ１は、タンク６０の側面図を示す図９（ａ）のようにスライド式にして蓋６０ａの上にひさし部６０ａ１を収納する方式あるいは図９（ｂ）に示すように蓋６０ａの上にひさし部６０ａ１を折り畳んで収納する方式とする。従って、通常時は蓋６０ａの上にひさし部６０ａ１を収納しておけば、ひさし部ａ１があっても邪魔にならず、必要に応じてひさし部６０ａ１を蓋６０ａから引き出すことができる。
【００３７】
また、図１０（ａ）、図１０（ｂ）にタンク６０の一部斜視図を示すように、貯留タンク６０の開閉式蓋６０ａを二つ折りに折りたたみ可能な構成にして、しかもその開放側の端部に折り返し部６０ａ２を設けた構成にしても良い。図１０（ａ）は蓋６０ａを開いたときの斜視図を示し、図１０（ｂ）は蓋６０ａを折り畳んでタンク６０の上面を閉じたときの斜視図を示す。折り返し部６０ａ２があると蓋６０ａを開いたときに雨水がタンク６０内に流れ込むことを防ぎ、また、蓋６０ａを折り畳んでタンク６０の上面を閉じると蓋６０ａが嵩張らない。
【００３８】
また、貯留タンク蓋６０ａを図１１の一部斜視図に示すように、開けたときに両側壁部６０ａ３を含めて雨よけとなる蓋６０ａを設けても良い。
【００３９】
さらに図１２に示すように、苗載台５１の裏側に苗載台５１の上端からさらに前上方に延長自在で、かつ通常時は、苗載台５１の裏側に収納された雨よけ５１ｃを設けても良い。
【００４０】
田植機を用いて雨天時に作業中には貯留タンク６０を開放して肥料などを搬入するときにタンク６０内に水が入らないように、苗載台５１の上端から雨よけ５１ｃを引き出してタンク６０の上方を覆うようにする。
【００４１】
なお、苗植付時でないときには、苗載台５１は粉粒体貯留タンク６０の上方にその上端部が上昇しているので、苗載台５１の上端から雨よけ５１ｃを引き出せば、雨よけ５１ｃで十分タンク６０の上方を覆うことができる。
【００４２】
また、通常、苗載台５１の上端部にはスノコ状のロング苗載台１０２（図１、図２）を備えているが、ロング苗載台１０２をスノコ状でなく板状にすることで、苗載台５１を最上方位置に移動させた状態では貯留タンク６０の上方を覆うことができるので、雨よけ効果がある。
【００４３】
また、図１３に示すように貯留タンク蓋６０ａの開閉用軸６０ａ４に蓋６０ａが４５度程度まで開いた状態に保持できるトルクスプリング６０ａ５を設けておけば、蓋６０ａが約４５度開いた状態で止まるのでタンク６０内に雨が入りにくくなると同時に苗載台５１のロング苗載台１０２との干渉が少なくなるため、苗植付部４をより前方に配置し易くなる。
【００４４】
また、蓋６０ａが１１０度程度まで開くようなストッパ６０ａ６を設け、該ストッパ６０ａ６により前記トルクスプリング６０ａ６の付勢力を規制させることで、晴天の日には肥料が入れやすいように蓋を大きく開放させることができる。
【００４５】
また、図１４に示すように、貯留タンク６０の上面開放部を覆うための吸湿シート６０ａ７をタンク６０の開放端部に設けたシートローラ６０ａ８に巻き付けておき、貯留タンク６０の上面を開放する毎に吸湿シートを剥がし、また貯留タンク６０の上面を覆うときにはシートローラ６０ａ８から新しい吸湿シート６０ａ７を引き出してタンク６０の上面を覆う防水カバーとして使用する。
【産業上の利用可能性】
【００４６】
本発明によれば肥料や薬剤等の粉粒体を貯留したタンク内に雨水が入り込まないようにすることができる粉粒体貯留タンクとして、農業機械だけでなく、建設機械、物流機械などのタンクとして利用できる。
【図面の簡単な説明】
【００４７】
【図１】本発明の実施例の施肥装置付き乗用型田植機の側面図である。
【図２】図１の施肥装置付き乗用型田植機の平面図である。
【図３】図１の施肥装置の（ａ）肥料回収管部分を省略した背面図、及び（ｂ）伝動関係を省略した背面図である。
【図４】図１の施肥装置の平面図である。
【図５】図１の施肥装置の一断面の側面断面図である。
【図６】図１の施肥装置の粉粒体繰出部の側面断面図である。
【図７】図６のＳ−Ｓ断面図である。
【図８】図１の施肥装置の肥料回収レバー及びその関連部材の側面図である。
【図９】図１の施肥装置等に使用できる２種類の貯留タンクの一実施例の側面図である。
【図１０】貯留タンクの一実施例の一部斜視図であり、図１０（ａ）は蓋を開けた状態、図１０（ｂ）は蓋を閉じた状態を示す。
【図１１】粉粒体貯留タンクの一実施例の一部斜視図であり、図１１（ａ）は蓋を閉じた状態、図１１（ｂ）は蓋を開けた状態を示す。
【図１２】図１の施肥装置等に使用できる貯留タンクと苗載台部分の側面図である。
【図１３】図１の施肥装置等に使用できる貯留タンクの一実施例の側面図である。
【図１４】図１の施肥装置等に使用できる貯留タンクの一実施例の側面図である。
【符号の説明】
【００４８】
１  施肥装置付き乗用型田植機      ２  走行車体
３  昇降リンク装置                ４  苗植付部
５  粉粒体繰出し装置（施肥装置）  １０  前輪
１１  後輪                        １２  ミッションケース
１３  前輪ファイナルケース        １５  メインフレーム
１８  後輪ギヤケース              ２０  エンジン
２１  第一ベルト伝動装置          ２３  ＨＳＴ
２５  植付クラッチケース          ２６  植付伝動軸
２７  施肥伝動機構                ３０  エンジンカバー
３１  座席                        ３２  フロントカバー
３４  ハンドル                    ３５  フロアステップ
３６  リヤステップ                ３８  予備苗載台
４０  上リンク                    ４１  下リンク
４２  リンクベースフレーム        ４３  縦リンク
４４  連結軸                      ４５  スイングアーム
４６  昇降油圧シリンダ            ５０  伝動ケース
５１  苗載台                      ５１ａ  苗取出口
５１ｂ  苗送りベルト              ５１ｃ  雨よけ
５２  苗植付装置                  ５２ａ  苗植付具
５３  線引きマーカ                ５５  センターフロート
５６  サイドフロート              ５７  上下動検出機構
６０  貯留タンク（肥料貯留タンク）
６０ａ  蓋                        ６０ａ１  ひさし部
６０ａ２  折り返し部               ６０ａ３  蓋両側壁部
６０ａ４  蓋開閉用軸               ６０ａ５  トルクスプリング
６０ａ６  ストッパ                 ６０ａ７  吸湿シート
６０ａ８  シートローラ             ６１  繰出部
６１ａ  吐出口                    ６２  施肥ホース
６３  施肥ガイド                  ６４  作溝体
６６  電動モータ                  ６７  ブロア
６７ａ  エア吐出口                ６８  エアチャンバ
６８ａ  ゴム管                    ６８ｂ  樹脂管
７０  施肥フレーム                ７１  回動アーム
７２  係止具                      ７３、７３Ａ、７３Ｂ  繰出ロール
７４  凹部                        ７５  繰出軸
７５ａ  角軸部                    ７６  ブラシ
７７、７７Ａ、７７Ｂ  繰出停止シャッタ
７７ａ  把手                      ７８  繰出部ケース
７８ａ  固定部分                  ７８ｂ  離脱部分
７９  スライド支持部              ８０  接続管
８１  エア切替管                  ８３  肥料排出口
８４  排出シャッタ                ８４ａ  回動軸
８５  肥料回収管                  ８６  エア切替シャッタ
８６ａ  回動軸                    ８７  肥料回収口
９０  肥料回収レバー              ９０ａ  回動支点軸
９０ｂ  ピン                      ９１  シャッタ開閉伝達軸
９２  扇型プレート                ９２ａ  長穴
９３  開閉ギヤ                    ９４  半円形ギヤ
９４ａ  ストッパ部                ９５  エア切替ワイヤ
９６  アーム                      ９７  引張りスプリング
９８  レバーガイド                ９８ａ、９８ｂ  ガイド穴
１０２  ロング苗載台
１１０Ｌ、１１０Ｃ、１１０Ｒ  クラッチレバー
【図１】
2006115779.tif 000003
【図２】
2006115779.tif 000004
【図３】
2006115779.tif 000005
【図４】
2006115779.tif 000006
【図５】
2006115779.tif 000007
【図６】
2006115779.tif 000008
【図７】
2006115779.tif 000009
【図８】
2006115779.tif 000010
【図９】
2006115779.tif 000011
【図１０】
2006115779.tif 000012
【図１１】
2006115779.tif 000013
【図１２】
2006115779.tif 000014
【図１３】
2006115779.tif 000015
【図１４】
2006115779.tif 000016